(57)【要約】【課題】業務用冷蔵庫の機械部カバーの下面から外気を取り入れるようにして前面に塵埃が溜まらないようにしてスッキリさせ、扉の開閉時に塵埃が降下しないようにする。【解決手段】冷蔵庫本体１０の上部に機械部Ｍを配設した業務用冷蔵庫において、前記機械部Ｍの機械部カバー１１の下面に、外気取り入れ口１２を開口し、その外気取り入れ口１２に、フィン１７またはネット状フィルターを一体成形した樹脂成形枠体１９を嵌め込んでなる。【選択図】  図１
2004198049.tif 000002
【特許請求の範囲】
【請求項１】
冷蔵庫本体の上部に冷媒圧縮機、ファンモーター、凝縮器からなる機械部を配設した業務用冷蔵庫において、前記機械部の前面に取付けられたカバーの下端に外気取り入れ口を開口し、その外気取り入れ口に、塵埃飛散防止手段を嵌め込んだことを特徴とする業務用冷蔵庫の機械部カバー。
【請求項２】
上記塵埃飛散防止手段は、フィンを一体成形した樹脂成形枠体であることを特徴とする請求項１に記載の業務用冷蔵庫の機械部カバー。
【請求項３】
上記塵埃飛散防止手段は、ネット状フィルターを一体に成形した樹脂成形枠体であることを特徴とする請求項１に記載の業務用冷蔵庫の機械部カバー。
【発明の詳細な説明】
【０００１】
【発明の属する技術分野】
この発明は業務用冷蔵庫であって、冷媒圧縮機、凝縮器、ファンモーターなど（以下、機械部という）を本体上部に取り付けたタイプの冷蔵庫の機械部カバーに関する。
【０００２】
【従来の技術】
機械部を本体上部に取付けた業務用冷蔵庫は、図４に示すように機械部Ｍ（図１参照）の目隠しとして本体１０の上部の少なくとも前面に機械部カバー１１が取り付けられ、その機械部カバー１１の前面に外気取り入れ口１２が開口し、その構造は図４のように機械部カバー１１の中程横方向に段部１３が形成され、その段部１３に小孔１４を多数穿設している。
【０００３】
【発明が解決しようとする課題】
ところが冷蔵庫本体１０の前面横方向に段部１３が形成されると、その部分に塵埃がたまりやすくなっている。
【０００４】
このような状況から最近では、図５、図６に示すように機械部カバー１１前面の段部をなくし、機械部カバー１１の下端に外気取り入れ口１２を設けたものに変わってきている。
【０００５】
このように機械部カバー１１の下端に外気取り入れ口１２を開口させると、その直下にガスケット１５を嵌めた扉１６の上端が存在し、機械部にたまった塵埃は、扉１６を開閉するたびに飛散しガスケット１５上、または冷蔵庫内に降下する恐れがある。
【０００６】
上記の状況に鑑みこの発明は、機械部カバー１１の下端から外気を取り入れるようにして塵埃が溜まる段部をなくし、前面をスッキリさせ、扉の開閉時には塵埃がガスケットや庫内に降下しないようにした業務用冷蔵庫の機械部カバーを供することを課題とする。
【０００７】
【課題を解決するための手段】
上記課題を解決するためにこの発明は、冷蔵庫本体の上部に冷媒圧縮機、ファンモーター、凝縮器からなる機械部を配設した業務用冷蔵庫において、前記機械部の前面に取付けられたカバーの下端に外気取り入れ口を開口し、その外気取り入れ口に、塵埃飛散防止手段を嵌め込んだものであり（請求項１）、上記塵埃飛散防止手段は、フィンを一体成形した樹脂成形枠体（請求項２）、またはネット状フィルターを一体に成形した樹脂成形枠体（請求項３）としたものである。
【０００８】
上記の如く構成するこの発明によれば、機械部カバーの外気取り入れ口を、前面から下端面に移すことにより塵埃がたまる段部がなくなって外観がスッキリし、下端面に移した外気取り入れ口に、フィンを一体成形した樹脂成形枠体、またはネット状フィルターを一体に成形した樹脂成形枠体を嵌め込むことにより、直下にあるガスケットを取付けた扉あるいは庫内に塵埃が飛散するのを防止することができる。
【０００９】
【発明の実施の形態】
次にこの発明の実施形態を図面を参照しながら説明する。図１と図２（ａ）は、第一実施例で、冷蔵庫本体１０の上部には、冷媒圧縮機Ｍ1 とファンモーターＭ2 と凝縮器Ｍ3 とからなる機械部Ｍが配設され、その前方で冷蔵庫本体１０の前面とほぼ同じ面に機械部カバー１１が取り付けられている。
【００１０】
この機械部カバー１１は、その下端に外気取り入れ口１２が開口し、その外気取り入れ口１２には、機械部Ｍ方向に上向きに傾斜し、その端を若干下向きにしたフィン１７を一体成形した樹脂成形枠体１９が嵌め込まれている。なお、上記フィン１７の端は外気取り入れ口１２に被さるようにし、フィン１７の取付け角度θは４５度以上とする。角度が小さくなると外気の流れが不自然になりフィンの表面に塵埃が付着し易くなって逆効果となる。
【００１１】
上記樹脂成形枠体１９は、外気取り入れ口１２の内縁を挟むように嵌まる断面コ字状の廻り縁になって簡単に嵌まるようになっている。
【００１２】
この実施例において、運転が開始されると冷媒圧縮機Ｍ1 とファンモーターＭ2 と凝縮器Ｍ3 が作動して外気取り入れ口１２から外気が取り入れられ、凝縮器Ｍ3 と冷媒圧縮機Ｍ1 が冷却される。
【００１３】
冷蔵庫本体１０内の上部には蒸発器２０と冷気を循環させるファンモーター２１が配設され、ファンモーター２１により庫内に放出された冷気は循環路２２を経て循環するようになっている。
【００１４】
図２（ｂ）は、第二実施例で冷蔵庫本体１０の上部に機械部Ｍが配設され、その前方で冷蔵庫本体１０の前面とほぼ同じ面に機械部カバー１１が取り付けられている。
【００１５】
この機械部カバー１１は、その下端に外気取り入れ口１２が開口し、その外気取り入れ口１２には、１４メッシュのネット状フィルター１８の縁を一体に成形した樹脂成形枠体１９が嵌め込まれ、上記樹脂成形枠体１９は外気取り入れ口１２の内縁を挟むように嵌まる断面コ字状の廻り縁になって簡単に嵌まるようになっている。なお、ネット状フィルターの網目は１０〜１８メッシュの範囲で選択する。細かすぎると目詰まりがおこり、粗くなるど塵埃の降下防止の効果が得られない。
【００１６】
この実施例では、外気取り入れ口１２から取り込まれた外気はネット状フィルター１８を経て凝縮器Ｍ3 と冷媒圧縮機Ｍ1 を通過しそれぞれを冷却する。
【００１７】
【発明の効果】
以上説明した通りこの発明によれば、機械部カバーの下端から外気を取り入れ機械部を冷却するようにしたので、機械部カバーの前面がスッキリして塵埃が溜まる部分がなくなり、外気取り入れ口にフィンまたはネット状フィルターを設けたことにより、扉を開閉したときの振動で、扉の上部分や冷蔵庫内に塵埃が降下するのを防止することができる。
【図面の簡単な説明】
【図１】この発明に係る実施形態の要部断面図
【図２】（ａ）第一実施例の要部断面図
（ｂ）第二実施例の要部断面図
【図３】この発明に係る冷蔵庫で（ａ）は両開き、（ｂ）は片開きの正面図
【図４】従来例の要部拡大断面図
【図５】他の従来例の要部拡大断面図
【図６】更に他の従来例の要部拡大断面図
【符号の説明】
１０  冷蔵庫本体
１１  機械部カバー
１２  外気取り入れ口
１３  段部
１４  小孔
１５  ガスケット
１６  扉
１７  フィン
１８  ネット状フィルター
１９  樹脂成形枠体
２０  蒸発器
２１  ファンモーター
２２  冷気循環路
Ｍ    機械部
Ｍ1   冷媒圧縮機
Ｍ2   ファンモーター
Ｍ3   凝縮器
【図１】
2004198049.tif 000003
【図２】
2004198049.tif 000004
【図３】
2004198049.tif 000005
【図４】
2004198049.tif 000006
【図５】
2004198049.tif 000007
【図６】
2004198049.tif 000008